(57)【要約】【課題】  スキューを調整するとともに、光ディスクの回転中心と光ピックアップの光軸中心とのずれを補償できる光ディスクドライブを提供する。【解決手段】  光ディスクがローディングされ、回転可能に設けられるターンテーブル３２と、前記ターンテーブル３２にローディングされた光ディスクの半径方向に移動し、光ディスクに光を照射して情報を記録／再生する光ピックアップ３３と、前記光ピックアップ３３の移動をガイドするピックアップシャフト４１と、前記ピックアップシャフト４１の上下方向の動きを誘導し、前記光ピックアップ３３の傾きを調整する調整手段５３と、前記ピックアップシャフト４１が上下方向及び左右方向に移動できるように、前記ピックアップシャフト４１の動きを案内するシャフトガイド５１とを含む。【選択図】      図３
2007109362.tif 000002
【特許請求の範囲】
【請求項１】
光ディスクがローディングされ、回転可能に設けられるターンテーブルと、
前記ターンテーブルにローディングされた光ディスクの半径方向に移動し、光ディスクに光を照射して情報を記録／再生する光ピックアップと、
前記光ピックアップの移動をガイドするピックアップシャフトと、
前記ピックアップシャフトの上下方向の動きを誘導し、前記光ピックアップの傾きを調整する調整手段と、
前記ピックアップシャフトが上下方向及び左右方向に移動できるように、前記ピックアップシャフトの動きを案内するシャフトガイドとを含むことを特徴とする光ディスクドライブ。
【請求項２】
前記シャフトガイドは、前記ピックアップシャフトが上方に移動するとき、前記ピックアップシャフトが前記ターンテーブルに近づく方向に移動するように案内し、前記ピックアップシャフトが下方に移動するとき、前記ピックアップシャフトが前記ターンテーブルから遠ざかる方向に移動するように案内するガイド面を含むことを特徴とする請求項１に記載の光ディスクドライブ。
【請求項３】
前記光ディスクドライブは、前記ピックアップシャフトを前記ガイド面側に弾性的にバイアスするための弾性部材をさらに含むことを特徴とする請求項２に記載の光ディスクドライブ。
【請求項４】
前記弾性部材は、前記ピックアップシャフトの上側に接し、前記ピックアップシャフトを前記ガイド面側に加圧できるように設けられる弾性板であることを特徴とする請求項３に記載の光ディスクドライブ。
【請求項５】
前記ピックアップシャフトは、前記光ピックアップの一端を貫通し、前記光ピックアップを支持する第１ピックアップシャフトを含み、前記シャフトガイドは、前記第１ピックアップシャフト側に設置されることを特徴とする請求項１に記載の光ディスクドライブ。
【請求項６】
前記調整手段は、前記ピックアップシャフトの下側に回転可能に設置され、正方向及び逆方向の回転によって前記ピックアップシャフトを昇降または下降するための調整スクリューであることを特徴とする請求項１に記載の光ディスクドライブ。
【請求項７】
ターンテーブルと、前記ターンテーブルにローディングされた光ディスクの半径方向に移動し、光ディスクに光を照射して情報を記録／再生するための光ピックアップと、前記光ピックアップの移動をガイドするためのピックアップシャフトと、前記ピックアップシャフトの高低を調節し、前記光ピックアップの傾きを調整するためのスキュー調整装置と、を含む光ディスクドライブにおいて、
前記スキュー調整装置は、前記ピックアップシャフトの高低を調節するための調整手段と、前記調整手段によって前記ピックアップシャフトが動くとき、前記ピックアップシャフトを対角線方向に動かせるための傾斜面を有するシャフトガイドと、前記ピックアップシャフトを前記傾斜面側に弾性的にバイアスするための弾性部材と、を含むことを特徴とする光ディスクドライブ。
【請求項８】
前記傾斜面は、前記ピックアップシャフトが前記傾斜面の上側から下側に移動するにつれて、前記ターンテーブルから徐々に遠ざかるように形成されることを特徴とする請求項７に記載の光ディスクドライブ。
【請求項９】
前記調整手段は、前記ピックアップシャフトの下側に回転可能に設置され、正方向及び逆方向の回転によって前記ピックアップシャフトを昇降または下降するための調整スクリューであることを特徴とする請求項７に記載の光ディスクドライブ。
【請求項１０】
前記弾性部材は、前記ピックアップシャフトの上側に接し、前記ピックアップシャフトを前記傾斜面側に加圧できるように設置される弾性板であることを特徴とする請求項７に記載の光ディスクドライブ。
【請求項１１】
前記ターンテーブルが右側に傾き、前記光ディスクが時計方向に傾くとき、前記調整手段は、光ディスクの回転中心と光ピックアップの光軸中心とが一致するように、少なくとも一つのピックアップシャフトを上側及び右側に調整することを特徴とする請求項７に記載の光ディスクドライブ。
【請求項１２】
前記ターンテーブルが左側に傾き、前記光ディスクが反時計方向に傾くとき、前記調整手段は、光ディスクの回転中心と光ピックアップの光軸中心とが一致するように、少なくとも一つのピックアップシャフトを下側及び左側に調整することを特徴とする請求項７に記載の光ディスクドライブ。
【請求項１３】
光ディスクと、
ピックアップシャフトと、
前記ピックアップシャフトによって支持され、前記光ディスクの半径方向に前記ピックアップシャフトに沿って移動し、前記光ディスクに光を照射して情報を記録／再生する光ピックアップと、
前記一つのピックアップシャフトの先端に設置され、光ディスクの回転中心と光ピックアップの光軸中心とのずれを補償するために、垂直方向及び水平方向に前記対応するピックアップシャフトの高低を調整する少なくとも一つのスキュー調整装置とを含むことを特徴とする光ディスクドライブ。
【請求項１４】
少なくとも一つのスキュー調整装置は、
前記対応するピックアップシャフトの高低を調整するための調整手段と、
前記ピックアップシャフトが前記調整手段によって動くとき、前記対応するピックアップシャフトを対角線方向に移動させるための傾斜面を有するシャフトガイドと、
前記対応するピックアップシャフトを前記傾斜面に向けて弾性的にバイアスするための弾性部材とを含むことを特徴とする請求項１３に記載の光ディスク。
【請求項１５】
前記傾斜面は、前記シャフトガイド内に形成され、前記ピックアップシャフトが前記傾斜面の上側から下側に移動するにつれて、前記ターンテーブルから徐々に遠ざかるように形成されることを特徴とする請求項１４に記載の光ディスクドライブ。
【請求項１６】
前記調整手段は、前記ピックアップシャフトの下側に回転可能に設置され、正方向及び逆方向の回転によって前記ピックアップシャフトを昇降または下降するための調整スクリューであることを特徴とする請求項１４に記載の光ディスクドライブ。
【請求項１７】
前記弾性部材は、一端が前記光ディスクのベースに固定され、一側面が前記ピックアップシャフトの上側に接した状態で、前記ピックアップシャフトを前記シャフトガイド内の傾斜面側に加圧するために設置される弾性板であることを特徴とする請求項１６に記載の光ディスクドライブ。
【発明の詳細な説明】
【技術分野】
【０００１】
本発明は、光ディスクドライブに関するもので、詳しくは、光ディスクの回転平面と光ピックアップの移動平面とが互いに平行になるように調整するとともに、光ディスクの回転中心と光ピックアップの光軸中心とのずれも補償できる光ディスクドライブに関するものである。
【背景技術】
【０００２】
一般に、光ディスクドライブは、コンピュータシステムやＣＤプレーヤ、ＤＶＤプレーヤなどの光記録／再生装置に適用されるもので、ＣＤやＤＶＤなどの光ディスクに光を照射することで、情報を記録するか、光ディスクに保存された情報を再生する装置をいう。
【０００３】
最近は、代表的な光ディスクとしてのＣＤやＤＶＤのみならず、次世代の光ディスクとして記録容量を一層高めたＢＤ（ブルーレイディスク）に対する研究も活発に行われているが、このように高い記録密度を有する光ディスクの記録／再生のためには、光ディスクドライブに装着される部品の精密度も高くなるべきである。ＣＤの場合、一般的な金型を用いて部品を生産しても、要求される部品の精密度を充足できたが、光ディスクの記録密度が益々高くなるにつれて、一般的な金型では、要求される部品の精密度を充足できなくなった。したがって、製品の生産費用などを考慮して低い精密度を有する部品を用いる場合も、光ディスクドライブの製造時、製造された部品に対する別途の調整過程を経ている。
【０００４】
光ディスクドライブは、光ディスクの回転平面と光ピックアップの移動平面とが互いに平行になるように調整し、光ディスクに対して垂直な方向に光を投射させるスキュー調整装置を備えている。光ディスクドライブで平面調整が必要な場合は、スピンドルモータが置かれた面と光ピックアップの移動平面とが平行でないとき、または、スピンドルモータの回転軸が垂直方向に傾き、ターンテーブルが光ピックアップの移動平面と平行でないときに発生する。
【０００５】
図１は、従来の光ディスクドライブを簡略に示した平面図で、図２は、図１の光ディスクドライブにおけるスキュー調整装置を示した正断面図である。図２には、便宜上、光ピックアップを省略した。図１及び図２に示すように、従来の光ディスクドライブのベースシャーシ１には、ターンテーブル２を回転するためのスピンドルモータ３と、光ディスクＤに光を照射して情報を記録／再生するための光ピックアップ４と、が設置される。このとき、光ピックアップ４は、その両端がガイドシャフト５によって支持され、ガイドシャフト５に沿って光ディスクＤの半径方向に移動するように設置される。一方、ガイドシャフト５の端には、光ピックアップ４の移動平面を調整するためのスキュー調整装置６が設置される。
【０００６】
スキュー調整装置６は、垂直方向にガイドシャフト５の動きをガイドするためのガイド溝７と、ガイドシャフト５を垂直方向に移動するために、ベースシャーシ１を貫通して設置される調整スクリュー８と、から構成される。したがって、調整スクリュー８の回転によってガイドシャフト５を昇降または下降すると、ガイドシャフト５によって支持された光ピックアップの傾きが変わるので、光ピックアップの移動平面と光ディスクＤの回転平面とを平行に調整することができる。
【０００７】
一方、光ピックアップの移動平面と光ディスクの回転平面とを平行に調整すること、そして、光ディスクの回転中心と光ピックアップの光軸中心とを一致させることは、光ディスクドライブの性能を決定するにおいて重要な要素として作用する。したがって、図１に示すように、ガイドシャフト５の中心からターンテーブル２の中心までの距離を‘ａ’とし、ガイドシャフト５の中心から光ピックアップ４の光軸中心までの距離を‘ｂ’とするとき、ａ及びｂは、可能な限り互いに一致されるべきである。
【０００８】
しかしながら、図２に示すように、ターンテーブル２が右側に傾き、光ディスクＤが時計方向に傾いた場合、これを調整するために、調節スクリュー８の回転によってガイドシャフト５を昇降すると、光ディスクＤの回転平面と光ピックアップ４の移動平面とを平行にできるが、上記の調整を通しては、ターンテーブル２の傾きによって二つの中心距離の間で発生する‘ｒ’だけのずれを補償することができない。かかる点は、ターンテーブル２が左側に傾き、光ディスクＤが反時計方向に傾いた場合も同様である。このように、光ディスクＤの回転中心と光ピックアップの光軸中心とが、許容された誤差範囲以上に互いにずれると、光ディスクの記録／再生時に誤差信号が多く発生し、光ディスクドライブの性能が低下することになる。
【発明の開示】
【発明が解決しようとする課題】
【０００９】
本発明は、上記の問題点を解決するためになされたもので、スキューを調整するとともに、光ディスクの回転中心と光ピックアップの光軸中心とのずれを補償できる光ディスクドライブを提供することを目的とする。
【課題を解決するための手段】
【００１０】
上記の目的を達成するために、本発明に係る光ディスクドライブは、光ディスクがローディングされ、回転可能に設けられるターンテーブルと、前記ターンテーブルにローディングされた光ディスクの半径方向に移動し、光ディスクに光を照射して情報を記録／再生する光ピックアップと、前記光ピックアップの移動をガイドするピックアップシャフトと、前記ピックアップシャフトの上下方向の動きを誘導し、前記光ピックアップの傾きを調整する調整手段と、前記ピックアップシャフトが上下方向及び左右方向に移動できるように、前記ピックアップシャフトの動きを案内するシャフトガイドとを含むことを特徴とする。
【００１１】
このように、シャフトガイドによってピックアップシャフトを左右方向に移動させることで、光ピックアップの移動平面と光ディスクの回転平面とを平行に調整できるとともに、光ピックアップの光軸中心と光ディスクの回転中心とのずれによって発生する誤差も補償できるようになる。
【００１２】
前記シャフトガイドは、前記ピックアップシャフトに接するガイド面を備えているが、このガイド面は、前記ピックアップシャフトが上方に移動するとき、前記ピックアップシャフトが前記ターンテーブルに近づく方向に移動するように案内し、前記ピックアップシャフトが下方に移動するとき、前記ピックアップシャフトが前記ターンテーブルから遠ざかる方向に移動するように案内する。
【００１３】
前記光ディスクドライブは、前記ピックアップシャフトを前記ガイド面側に弾性的にバイアスするための弾性部材をさらに含み、前記弾性部材は、前記ピックアップシャフトの上側に接し、前記ピックアップシャフトを前記ガイド面側に加圧できるように設けられる弾性板である。
【００１４】
前記ピックアップシャフトは、前記光ピックアップの一端を貫通し、前記光ピックアップを支持する第１ピックアップシャフトを含み、前記シャフトガイドは、前記第１ピックアップシャフト側に設置されることが好ましい。
【００１５】
前記調整手段は、前記ピックアップシャフトの下側に回転可能に設置され、正方向及び逆方向の回転によって前記ピックアップシャフトを昇降または下降するための調整スクリューである。
【００１６】
また、本発明に係る光ディスクドライブは、ターンテーブルと、前記ターンテーブルにローディングされた光ディスクの半径方向に移動し、光ディスクに光を照射して情報を記録／再生するための光ピックアップと、前記光ピックアップの移動をガイドするためのピックアップシャフトと、前記ピックアップシャフトの高低を調節し、前記光ピックアップの傾きを調整するためのスキュー調整装置と、を含む光ディスクドライブにおいて、前記スキュー調整装置は、前記ピックアップシャフトの高低を調節するための調整手段と、前記調整手段によって前記ピックアップシャフトが動くとき、前記ピックアップシャフトを対角線方向に動かせるための傾斜面を有するシャフトガイドと、前記ピックアップシャフトを前記傾斜面側に弾性的にバイアスするための弾性部材と、を含むことを特徴とする。
【００１７】
このとき、前記傾斜面は、前記ピックアップシャフトが前記傾斜面の上側から下側に移動するにつれて、前記ターンテーブルから徐々に遠ざかるように形成される。
【発明の効果】
【００１８】
本発明に係る光ディスクドライブは、スキューを調整できるとともに、光ディスクの回転中心と光ピックアップの光軸中心とのずれによる誤差を補償できるという効果がある。したがって、本発明に係る光ディスクドライブは、光ピックアップの光軸中心が、回転する光ディスクの中心から偏心することで発生する誤差信号を最小化し、光ディスクドライブの性能を改善できるという効果がある。
【発明を実施するための最良の形態】
【００１９】
以下、本発明の好ましい実施の形態を図面に基づいて詳細に説明する。図３は、本発明の一実施形態に係る光ディスクドライブを示した斜視図で、図４は、図３の光ディスクドライブにおける‘Ａ’部分を拡大して示した斜視図である。
【００２０】
図３に示すように、本発明の一実施形態に係る光ディスクドライブは、メーンフレーム１０と、このメーンフレーム１０に出し入れ可能に設置され、光ディスク（図示せず）をローディングまたはアンローディングするトレイ２０と、を備えている。トレイ２０は、開放されたメーンフレーム１０の前面を通してスライディング移動しながら、光ディスクのローディング／アンローディング動作を行う。
【００２１】
メーンフレーム１０の前側底面には、トレイ２０をスライディング移動するのに必要な駆動力を提供するローディング装置が設置される。ローディング装置は、ローディングモータ１１と、このローディングモータ１１の駆動力をトレイ２０に伝達するためのプーリ１２と、ベルト１３と、ピニオンギア１４と、から構成される。また、トレイ２０の底面一側には、ピニオンギア１４に連結され、トレイ２０の直線往復運動を可能にするラックギア２１が形成される。
【００２２】
メーンフレーム１０の内部には、光ディスクの記録／再生のための各種部品が装着されるベースシャーシ３０が、上下方向に回動可能にヒンジ結合される。ベースシャーシ３０には、メーンフレーム１０の内部に運搬された光ディスクがローディングされ、スピンドルモータ３１によって回転するターンテーブル３２と、このターンテーブル３２にローディングされた光ディスクに情報を記録したり、光ディスクに保存された情報を再生する光ピックアップ３３と、が設置される。光ピックアップ３３は、回転する光ディスクの偏向及び偏心に対応するためのアクチュエータ３３ａと、このアクチュエータ３３ａを含む各種の光部品が設置されるピックアップベース３３ｂと、を含む。
【００２３】
ベースシャーシ３０とローディング装置との間には、スライディングカム１５が設置される。このスライディングカム１５には、トレイ２０の底面に形成された案内溝２２と相互作用をするスライディング突起１５ａと、ローディング装置のピニオンギア１４と相互作用をするラックギア１５ｂと、が備わる。スライディングカム１５は、トレイ２０のローディング／アンローディング動作中に左右方向にスライディング移動しながら、ベースシャーシ３０の昇降運動を誘導する。
【００２４】
光ピックアップ３３は、光ディスクの半径方向に移動しながら光ディスクの記録面に光を照射するが、このような移動のために、ベースシャーシ３０には、光ピックアップ移送装置が設置される。光ピックアップ移送装置は、光ピックアップ３３に駆動力を伝達し、光ピックアップ３３を光ディスクの半径方向に動かせる移送スクリュー３４と、この移送スクリュー３４を回転するために、移送スクリュー３４の一端に設置される移送モータ３５と、光ピックアップ３３の移動をガイドするためのピックアップシャフト４０と、光ピックアップ３３と移送スクリュー３４とを連結する連結部材（図示せず）と、から構成される。
【００２５】
ピックアップシャフト４０は、ターンテーブル３２を挟んで二つ４１，４２が並んで配置されるが、光ピックアップ３３は、これら二つのピックアップシャフト４１，４２によって直線運動可能に支持される。このとき、二つのピックアップシャフト４０のうちいずれか一つのピックアップシャフト４１は、ピックアップベース３３ｂの一端を貫通して光ピックアップ３３を支持し、他の一つのピックアップシャフト４２は、その上にピックアップベース３３ｂの他端をローディングして光ピックアップ３３を支持する。以下、ピックアップベース３３ｂを貫通するピックアップシャフト４１を、第１ピックアップシャフトといい、他の一つのピックアップシャフト４２を、第２ピックアップシャフトという。
【００２６】
また、図３及び図４に示すように、本発明の一実施形態に係る光ディスクドライブは、ピックアップシャフト４０の高低を調節することで、光ピックアップ３３の傾きを調整するためのスキュー調整装置５０を備えている。このスキュー調整装置５０は、ターンテーブル３２にローディングされた光ディスクの回転平面と光ピックアップ３３の移動平面とが互いに平行でないとき、ピックアップシャフト４０を昇降または下降することで、上記の二つの平面が互いに平行になるように調整する。特に、スキュー調整装置５０は、光ディスクの回転中心Ｏと光ピックアップの光軸中心Ｏ’との間のずれを最小化できるように構成される。
【００２７】
スキュー調整装置５０は、ピックアップシャフト４１の上下方向の動きを誘導し、ピックアップシャフト４１の高低を調節するための調整手段と、ピックアップシャフト４１を上下方向及び左右方向に移動できるようにピックアップシャフト４１の動きを案内するシャフトガイド５１と、を備えている。このとき、シャフトガイド５１は、第１ピックアップシャフト４１の両端部側に設置され、第２ピックアップシャフト４２側には、従来技術と同様に、上下方向のみに第２ピックアップシャフト４２の動きをガイドするガイド部材５２が設置されることが好ましい。
【００２８】
調整手段は、ベースシャーシ３０を貫通し、その端部がピックアップシャフト４１の下側に位置するように設置される調整スクリュー５３を含んでいる。調整スクリュー５３を正方向または逆方向に回転するとき、ピックアップシャフト４１が昇降または下降するので、ピックアップシャフト４１の高低を調節できる。
【００２９】
シャフトガイド５１は、調整スクリュー５３によってピックアップシャフト４１が動くとき、ピックアップシャフト４１を対角線方向に動かせるためのガイド面５１ａを有する。このガイド面５１ａは、ピックアップシャフト４１が調整スクリュー５３によって上方に移動するとき、ピックアップシャフト４１をターンテーブル３２に近づく方向にガイドし、ピックアップシャフト４１が下方に移動するとき、ピックアップシャフト４１をターンテーブル３２から遠ざかる方向にガイドする。
【００３０】
また、本発明の一実施形態に係る光ディスクドライブは、ピックアップシャフト４１をシャフトガイド５１のガイド面５１ａ側に弾性的にバイアスするための弾性部材をさらに備えている。このとき、この弾性部材は、その一端がベースシャーシ３０に固定され、その一側面がピックアップシャフト４１の上側に接した状態で、ピックアップシャフト４１をガイド面５１ａ側に加圧するために設置される弾性板５４を含む。
【００３１】
以下、本発明の一実施形態に係る光ディスクドライブの動作を説明する。図５は、本発明に係る光ディスクドライブにおいて、光ディスクが時計方向に傾いたときの調整動作を説明するための図で、図６は、光ディスクが反時計方向に傾いたときの調整動作を説明するための図である。図５及び図６には、便宜上、弾性部材を省略した。
【００３２】
図５に示すように、ターンテーブル３２が右側に傾き、光ディスクＤが時計方向に傾いた場合、光ピックアップ３３の移動平面と光ディスクＤとを平行に調整するために、調整スクリュー５３の回転によってピックアップシャフト４１を上方に移動する。そうすると、ピックアップシャフト４１が上方に移動するとともに、シャフトガイド５１のガイド面５１ａによって案内されて右側にも所定距離ｄだけ移動するようになる。この移動距離ｄは、ターンテーブル３２が右側に傾いて発生する光ディスクＤの回転中心と光ピックアップ３３の中心とのずれｅをある程度補償する役割をする。
【００３３】
これと同様に、図６に示すように、ターンテーブル３２が左側に傾き、光ディスクＤが反時計方向に傾いた場合、光ピックアップ３３の移動平面と光ディスクＤとを平行に調整するために、調整スクリュー５３の回転によってピックアップシャフト４１を下方に移動する。そうすると、ピックアップシャフト４１が下方に移動するとともに、ガイド面５１ａによって案内されて左側にも所定距離ｄ’だけ移動するようになる。この移動距離ｄ’は、ターンテーブル３２が左側に傾いて発生する光ディスクＤの回転中心と光ピックアップ３３の中心とのずれｅ’をある程度補償する役割をする。
【図面の簡単な説明】
【００３４】
【図１】従来の光ディスクドライブを簡略に示した平面図である。
【図２】図１の光ディスクドライブにおけるスキュー調整装置を示した正断面図である。
【図３】本発明の一実施形態に係る光ディスクドライブを示した斜視図である。
【図４】図３の光ディスクドライブにおける‘Ａ’部分を拡大して示した斜視図である。
【図５】本発明の一実施形態に係る光ディスクドライブにおいて、光ディスクが時計方向に傾いたときの調整動作を説明するための図である。
【図６】本発明の一実施形態に係る光ディスクドライブにおいて、光ディスクが反時計方向に傾いたときの調整動作を説明するための図である。
【符号の説明】
【００３５】
１０      メーンフレーム
１１      ローディングモータ
１２      プーリ
１３      ベルト
１４      ピニオンギア
１５      スライディングカム
１５ａ    スライディング突起
１５ｂ    ラックギア
２０      トレイ
２１      ラックギア
２２      案内溝
３０      ベースシャーシ
３１      スピンドルモータ
３２      ターンテーブル
３３      光ピックアップ
３３ａ    アクチュエータ
３３ｂ    ピックアップベース
３４      移送スクリュー
３５      移送モータ
４０      ピックアップシャフト
５０      スキュー調整装置
５２      ガイド部材
【図１】
2007109362.tif 000003
【図２】
2007109362.tif 000004
【図３】
2007109362.tif 000005
【図４】
2007109362.tif 000006
【図５】
2007109362.tif 000007
【図６】
2007109362.tif 000008